(57)【要約】【課題】画面展開する関連画面の登録を容易かつ迅速に行うことのできるプラント監視装置を得る。【解決手段】関連画面定義装置１２にて、関連画面登録用の画面を表示装置に表示する。表示装置の表示画面上において、ある画面Ａについて関連画面の関連づけを定義（登録）する場合、画面Ａに対応して設けられたボタンをクリックする。すると、画面候補絞り込み装置１３が、画面展開履歴ファイル１７から画面展開履歴データを読み込み、画面Ａから展開された履歴のある画面を検索する。検索結果が展開回数の多い順に画面候補として表示されるので、オペレータは表示された画面候補の一覧より最も回数の多い関連画面を選択し、関連画面定義データとして関連画面定義ファイル１６に保存する。展開回数の多い順に画面候補一覧が表示されるので、登録が容易である。【選択図】図１
2008217622.tif 000002
【特許請求の範囲】
【請求項１】
プラントの複数の画面の画面情報を保存する画面情報保存手段と、上記画面中の一つの画面と他の画面との関連度を所定の規則に従って評価して上記他の画面の関連度の順位を決定する関連度評価手段と、上記画面中の一つの画面と関連する画面を上記関連度の順位に従って関連画面として定義しうるようにされた関連画面定義手段と、上記関連画面定義を記憶する関連画面定義記憶手段と、上記関連画面定義手段の定義に基づいて関連画面を展開する関連画面展開手段とを備えたプラント監視装置。
【請求項２】
上記関連度評価手段は、上記画面中の一つの画面から関連画面として展開された展開回数に基づき関連度の順位を決定するものであることを特徴とする請求項１に記載のプラント監視装置。
【請求項３】
上記関連度評価手段は、上記画面中の一つの画面から関連画面として展開された展開回数を所定のタイミングで判定するものであり、上記関連画面定義手段は上記関連度評価手段が判定した上記展開回数が最も多いものを関連画面として自動登録するものであることを特徴とする請求項２に記載のプラント監視装置。
【請求項４】
プラントの複数の画面の画面情報を保存する画面情報保存手段と、上記画面中の一つの画面と他の画面との関連度を上記一つの画面に含まれる計測項目の計測値に基づいて評価して上記他の画面の計測項目関連度の順位を決定する計測項目関連度評価手段と、上記画面中の一つの画面と関連する画面を上記計測項目関連度の順位の一番高い画面を計測項目関連画面として定義して計測項目関連画面定義とする計測項目関連画面定義手段と、上記計測項目関連画面定義を記憶する計測項目関連画面定義記憶手段と、上記計測項目関連画面定義手段の定義に基づいて関連画面を展開する計測項目関連画面展開手段とを備えたプラント監視装置。
【請求項５】
上記計測項目関連度評価手段は、上記計測項目関連度を上記画面に含まれる計測項目の計測値の過去値及び現在値に基づいて評価して計測項目関連度の順位を決定するものであることを特徴とする請求項４に記載のプラント監視装置。
【請求項６】
上記関連度評価手段は、上記画面に含まれる計測項目から求められる関連項目に基づいて関連度を評価して関連度の順位を決定するものであることを特徴とする請求項１に記載のプラント監視装置。
【請求項７】
上記関連度評価手段は、上記画面に含まれる計測項目の属性に基づいて関連度を評価して関連度の順位を決定するものであることを特徴とする請求項１に記載のプラント監視装置。
【発明の詳細な説明】
【技術分野】
【０００１】
この発明は、例えば、水処理プラントや発電プラント等のプラント監視装置に関するものである。
【背景技術】
【０００２】
一般に、水処理プラント等のプラント監視装置は、種々のデータを計算機に取り込み、表示画面にこれらのデータを表示して監視するようにしている。この場合、プラントのプロセス値の推移状況や警報等を把握し、系統画面や推移画面として表示画面に表示する。これらの画面は、画面間の関連を関連画面定義データとして記憶させておき、現在表示されている画面から画面展開できるようにすなわち現在の画面と関連する他の画面を表示できるようにしている。また、プラント監視装置には複数台のモニタが設けられており、オペレータが画面展開を行う際には、画面展開を行うモニタ以外のモニタにて関連画面の展開を行い、表示の効率を上げている。このような監視装置において、画面間の関連を登録する際、常時監視する監視部分とは別の対話装置にてある画面Ａについて登録するときこの画面Ａに関連する関連画面Ｂを全ての画面リストの中から選択して登録するようにしている（例えば、特許文献１参照）。
【０００３】
【特許文献１】特開２００２−３４１９３３号公報（段落番号０００２、００３４及び図１）
【発明の開示】
【発明が解決しようとする課題】
【０００４】
上記のようなプラント監視装置では、モニタに画面展開を行うためには、画面間の関連を登録定義し、当該関連画面定義に基づいて関連する画面を表示する必要がある。しかし、従来の関連画面の登録方法では、プラント向けの多数の画面に対して、すべての画面のリストの中から必要な画面を選択して登録する必要があり、関連づけする画面の登録に時間がかかるという問題点があった。
【０００５】
この発明は上記のような問題点を解決するためになされたものであり、画面展開する関連画面の登録を容易かつ迅速に行うことのできるプラント監視装置を得ることを目的とする。
【課題を解決するための手段】
【０００６】
この発明に係るプラント監視装置においては、プラントの複数の画面の画面情報を保存する画面情報保存手段と、画面中の一つの画面と他の画面との関連度を所定の規則に従って評価して他の画面の関連度の順位を決定する関連度評価手段と、画面中の一つの画面と関連する画面を関連度の順位に従って関連画面として定義しうるようにされた関連画面定義手段と、関連画面定義を記憶する関連画面定義記憶手段と、関連画面定義に基づいて関連画面を展開する関連画面展開手段とを備えたものである。
【０００７】
また、この発明に係るプラント監視装置においては、プラントの複数の画面の画面情報を保存する画面情報保存手段と、画面中の一つの画面と他の画面との関連度を一つの画面に含まれる計測項目の計測値に基づいて評価して他の画面の計測項目関連度の順位を決定する計測項目関連度評価手段と、画面中の一つの画面と関連する画面を計測項目関連度の順位の一番高い画面を計測項目関連画面として定義して計測項目関連画面定義とする計測項目関連画面定義手段と、計測項目関連画面定義を記憶する計測項目関連画面定義記憶手段と、計測項目関連画面定義手段の定義に基づいて関連画面を展開する計測項目関連画面展開手段とを備えたものである。
【発明の効果】
【０００８】
この発明に係るプラント監視装置においては、プラントの複数の画面の画面情報を保存する画面情報保存手段と、画面中の一つの画面と他の画面との関連度を所定の規則に従って評価して他の画面の関連度の順位を決定する関連度評価手段と、画面中の一つの画面と関連する画面を関連度の順位に従って関連画面として定義しうるようにされた関連画面定義手段と、関連画面定義を記憶する関連画面定義記憶手段と、関連画面定義に基づいて関連画面を展開する関連画面展開手段とを備えたものであるので、関連度の順位に従って関連画面を定義できるので、関連画面の登録を容易かつ迅速に行うことができる。
【０００９】
また、この発明に係るプラント監視装置においては、プラントの複数の画面の画面情報を保存する画面情報保存手段と、画面中の一つの画面と他の画面との関連度を一つの画面に含まれる計測項目の計測値に基づいて評価して他の画面の計測項目関連度の順位を決定する計測項目関連度評価手段と、画面中の一つの画面と関連する画面を計測項目関連度の順位の一番高い画面を計測項目関連画面として定義して計測項目関連画面定義とする計測項目関連画面定義手段と、計測項目関連画面定義を記憶する計測項目関連画面定義記憶手段と、計測項目関連画面定義手段の定義に基づいて関連画面を展開する計測項目関連画面展開手段とを備えたものであるので、計測値に基づき展開する関連画面を変更することにより、より状況に即した画面展開が可能となる。
【発明を実施するための最良の形態】
【００１０】
実施の形態１．
図１〜図４は、この発明を実施するための実施の形態１を示すものであり、図１は関連画面展開装置の構成を示す構成図、図２は動作を示すフローチャート、図３及び図４は関連画面展開装置による表示画面を示す説明図である。なお、この実施の形態１を含む各実施の形態における関連画面展開装置は、プラント監視装置に設けられているものである。図１において、関連画面展開装置１０は、次のように構成されている。計測値収集装置１１は水処理プラント２から収集した計測値を時系列に保存する。関連画面定義装置１２は、画面間の関連を定義し、関連画面定義として後述の関連画面定義ファイル１６に保存する。関連度評価手段及び関連画面定義手段としての画面候補絞込み装置１３は、画面展開履歴ファイル１７から画面展開履歴データを読み出し関連画面として登録する画面候補を絞り込む。関連画面展開手段としての監視装置１４は、計測値や演算値を監視するものであり、図示しないが画面を表示する表示装置を有する。画面情報保存手段としての全画面定義ファイル１５は、全ての画面の定義情報を保存している。関連画面定義記憶手段としての関連画面定義ファイル１６は、画面間の関連を定義した関連画面定義データを記憶している。画面展開履歴ファイル１７は、監視装置にて画面展開した履歴を画面展開履歴データとして記憶している。
【００１１】
次に、図２のフローチャートにより、動作を説明する。なお、このような関連画面の登録や関連づけの変更など関連図面定義データのメインテナンスは、定期的に例えば週１回手動にて行う。まず、関連画面定義装置１２にて、図３に示すような関連画面登録用の画面を表示装置に表示する。例えば、登録元の画面番号Ｄ１、画面名称Ｄ２、関連画面番号Ｄ３、関連画面名称Ｄ４、画面候補表示用のボタンＢ１、及び登録データを保存するためのボタンＢ２（画面左上）を表示する（ステップＳ１１）。次に、登録元の画面に対して関連画面として登録を行う関連画面を選択する。表示装置の表示画面上において、登録元の１行目の画面（画面番号：Ｓ０００１、画面名称：全体平面図）と関連画面（関連画面番号：Ｓ０１００、関連画面名称：システム監視画面）との関連づけの変更は行わずパスし、２行目の画面（画面番号：Ｓ０００２、関連画面名称：全体受変電設備）（以下、画面Ａと称する）と関連画面との関連づけをするあるいは変更する（以下、登録するあるいは定義するという）場合、一番右側の「候補一覧」と書かれたボタンＢ１をクリックする（ステップＳ１２）。
【００１２】
ボタンＢ１をクリックすると、画面候補絞り込み装置１３が、画面展開履歴ファイル１７から画面展開履歴データを読み込み、画面Ａから展開された履歴のある画面（関連画面）を検索する（ステップＳ１３）。検索結果として、図４に示すような画面候補一覧の画面が表示される。画面候補一覧は、関連画面を登録しようとしている対象の画面Ａから展開された展開回数の多い順に所定順位まで表示される（ステップＳ１４）。オペレータは表示された候補一覧より最も展開回数の多い画面を選択して関連図面として定義し、関連画面定義データとして関連画面定義ファイル１６に保存する（ステップＳ１５）。
【００１３】
プラント監視装置では、上記のようにして定義が定期的に見直された関連画面定義データに基づいて、オペレータによる画面展開時に関連画面定義ファイル１６から関連画面定義を読み込み、全画面定義ファイル１５から画面情報を読み込み、関連画面として表示装置に表示する。このとき、現在の画面及び当該画面から展開された関連画面についておのおの展開回数のカウンタが１進められる。
【００１４】
以上のように所定の規則に従って、関連画面登録において、画面展開履歴データを使用し、展開回数から関連度の順位を決定し、画面候補を絞り込み、展開回数の多い順に絞り込んだ画面候補の中から関連画面を選択し登録することが可能となり、関連画面の登録を容易かつ迅速に行うことのでき、登録処理の操作性が向上する。
【００１５】
実施の形態２．
図５及び図６は、実施の形態２を示すものであり、図５は関連画面展開装置の構成を示す構成図、図６は動作を示すフローチャートである。図５において、関連画面展開装置２０は、次のように構成されている。関連度評価手段としての画面候補絞り込み装置２３は関連画面定義手段としての関連画面自動登録部２３ａを有する。その他の構成については、図１に示した実施の形態１と同様のものであるので、相当するものに同じ符号を付して説明を省略する。
【００１６】
次に、図６のフローチャートにより動作を説明する。上述のように、プラントの監視作業中において関連図面が展開される度に、関係する画面の展開回数に１が加算され、画面展開履歴データが更新される。図６において、画面候補絞り込み装置２３は、関連図面が展開される度に画面展開履歴ファイル１７から最新の画面展開履歴データを自動的で取り込む（ステップＳ２１）。その画面展開履歴データの中から所定の画面（Ａとする）について展開回数をキーにして画面候補を検索する（ステップＳ２２）。関連画面自動登録部２３ａは、関連画面の検索結果から、展開された回数が一番多い画面を関連画面として自動登録する（ステップＳ２３）。以上の動作を、全ての画面について行う。なお、所定のタイミングで行う自動取り込みは、画面展開の都度行う代わりに１時間に１回等定期的に行うようにしてもよい。
これにより、オペレータが画面展開を繰り返すことで、手動による関連画面登録なしに画面間の関連を更新し、最新あるい最新に近い画面展開履歴データの展開回数に基づいて関連どの順位を決定し自動登録することができる。関連画面の登録を省力化できる。
【００１７】
実施の形態３．
図７及び図８は、実施の形態３を示すものであり、図７は関連画面展開装置の構成を示す構成図、図８は動作を示すフローチャートである。図７において、関連画面展開装置３０は、次のように構成されている。関連画面定義装置３２は展開条件登録部３２ａを有する。監視装置３４は、計測項目関連画面評価手段、計測項目関連画面定義手段及び計測項目関連画面展開手段としての展開条件判断部３４ａを有する。また、画面関連定義ファイル３６が設けられている。展開条件登録部３２ａでは、関連画面定義として図１の関連画面定義の他に、展開条件と関連画面展開するときの関連画面とを画面関連定義ファイル３６に登録する。展開条件として、プラントの計測値、四則演算、及び等号、不等号による判断ロジック等がある。また、判断ロジックによる判断結果に応じて展開すべき関連画面を複数枚登録する。
【００１８】
次に、動作について図８のフローチャートにより説明する。現在、例えばポンプ駆動モータへ給電するコントロールセンタの画面が表示されているとする。展開条件判断部３４ａでは、計測値収集装置１１より収集された展開条件に指定されているプラントの計測値例えばポンプ流量のデータを読み込む（ステップＳ３１）。次に、読み込んだ計測値と画面関連定義ファイル３６に登録されている判断ロジックにより展開条件を判断し（ステップＳ３２）、展開条件に応じて適切な関連画面を展開、例えば貯水池への給排水ポンプの配管系統図の画面を表示する（ステップＳ３３）。なお、ステップＳ３２における判断ロジックは、例えば、「計測値収集装置１１から読み込んだ計測値（池Ａの現在水位）が、１０メートル以上であれば関連画面番号Ｓ００１０のＡ送水設備画面（図３参照）を展開し、水位が１０メートル未満であれば関連画面番号Ｓ００１１のＢ送水設備画面（図３参照）を展開する」というものである。これにより、関連画面の登録を変更する作業をすることなく、オペレータが画面展開を行う時点での計測値に基づき展開する関連画面を変更し、より状況に即した画面展開が可能となる。そして、このような関連画面の登録を容易かつ迅速に行うことができる。
【００１９】
実施の形態４．
図９及び図１０は、実施の形態４を示すものであり、図９は関連画面展開装置の構成を示す構成図、図１０は動作を示すフローチャートである。図９において、関連画面展開装置４０は、次のように構成されている。計測値収集装置４１は計測値保存部４１ａを有する。関連画面定義装置４２は展開条件登録部４２ａを有する。監視装置４４は、展開条件判断部４４ａを有する。また、計測値保存ファイル４５、画面関連定義ファイル４６が設けられている。
【００２０】
次に、図１０のフローチャートにより動作を説明する。図１０において、計測値保存部４１ａは、プラントの計測値を計測値ファイル４５に保存する。計測値の過去値は、計測値と相対過去時間（現在から何分前か）とを対として保存する（ステップＳ４１）。また、展開条件判断部４４ａでは、計測値収集装置１１から計測値の現在値を読み込み、計測値ファイル４５より過去値を取得する。過去値は、関連画面の条件に登録されている計測値の現時点からの相対過去時間前の計測値である（ステップＳ４２）。展開条件判断部４４ａでは、計測値の現在値と、過去値と画面関連定義ファイル４６に登録されている判断ロジックとに基づき展開条件を判断し（ステップＳ４３）、展開条件に応じて適切な関連画面の展開を行う（ステップＳ４４）。なお、ステップＳ４３における判断ロジックは、例えば、「計測値収集装置１１から読み込んだ計測値（池Ａの現在水位）と、計測値保存ファイル４６から読み込んだ５分前の計測値（池Ａの過去水位）との差を比較し、差が５メートル以上であれば関連画面番号Ｓ００１０のＡ送水設備画面（図３参照）を展開し、水位の差が５メートル未満であれば関連画面番号Ｓ００１１のＢ送水設備画面（図３参照）を展開する。」というものである。これにより、現在の計測値だけでなく、過去からの現在までの計測値の推移の傾向などを判断ロジックに反映することが可能となり、現在の状況だけでなく、過去からの値の推移を考慮した関連画面を展開することが可能となる。そして、このような関連画面の登録を容易かつ迅速に行うことができる。
【００２１】
実施の形態５．
図１１及び図１２は、実施の形態５を示すものであり、図１１は関連画面展開装置の構成を示す構成図、図１２は動作を示すフローチャートである。図１１において、関連画面展開装置５０は、次のように構成されている。画面候補絞り込み装置５３に、計測項目解析部５３ａを設けている。その他の構成については、図１に示した実施の形態１と同様のものであるので、相当するものに同じ符号を付して説明を省略する。
【００２２】
次に、図１２のフローチャートにより動作を説明する。まず、関連画面定義装置１２にて、図３に示すのと同様の関連画面登録用の画面を表示装置に表示する（ステップＳ５１）。登録したい画面（画面Ｎとする）を選んで、当該画面番号が表示されている欄の右端にある「候補一覧」と書かれたボタンＢ１をクリックする（ステップＳ５２）。ボタンＢ１をクリックすると、画面候補絞り込み装置５３の計測項目解析部５３ａが、全画面定義ファイル１５から画面Ｎの計測項目例えばポンプ流量を取得する（ステップＳ５３）。その計測項目に基づいて求めた関連項目例えば積算流量が関連づけされている画面を、全画面定義ファイル５５から検索し、展開回数の多い順に登録すべき画面候補として表示する（ステップＳ５４）。オペレータは表示された候補一覧より最も回数の多い関連画面を選択し、関連画面定義データとして関連画面定義ファイル１６に保存する（ステップＳ５５）。
【００２３】
これにより、関連画面登録において、以前に展開したことがある画面だけでなく、画面に登録されている計測項目を別表現（トレンド表示、積算表示など）で確認する画面を選んで関連画面として登録することが可能となる。そして、このような関連画面の登録を容易かつ迅速に行うことができる。
【００２４】
実施の形態６．
図１３及び図１４は、実施の形態６を示すものであり、図１３は関連画面展開装置の構成を示す構成図、図１４は動作を示すフローチャートである。図１３において、関連画面展開装置６０は、次のように構成されている。画面候補絞り込み装置６３に、計測項目解析部５３ａに加えて計測項目関連解析部６３ａを設ける。
【００２５】
次に、図１４のフローチャートにより動作を説明する。関連画面定義装置１２にて、図３に示すのと同様の関連画面登録用の画面を表示装置に表示する（ステップＳ６１）。登録したい画面（画面Ｎとする）を選んで、当該画面番号が表示されている欄の右端にある「候補一覧」と書かれたボタンＢ１をクリックする（ステップＳ６２）。ボタンＢ１をクリックすると、計測項目関連解析部６３ａでは、画面Ｎに登録されている計測項目の属性（設備情報、単位情報等）例えば設備情報として建屋Ｃを取得する（ステップＳ６３）。続いて同一属性（建屋Ｃ）を持つ計測項目を検索し、同一属性が多い計測項目から順番に並べる（ステップＳ６４）。同一属性が多い計測項目例えば室温から全画面定義ファイル１５中の画面を検索し（ステップＳ６５）、展開回数が多い順番で登録すべき画面候補を表示する（ステップＳ６６）。
これにより、関連画面登録において、同じ種類の設備、同じ種類の機器などが登録された同種の画面を関連画面として容易に登録することが可能となる。そして、このような関連画面の登録を容易かつ迅速に行うことができる。
【図面の簡単な説明】
【００２６】
【図１】実施の形態１である関連画面展開装置の構成を示す構成図である。
【図２】関連画面展開装置の動作を示すフローチャートである。
【図３】関連画面展開装置による表示画面を示す説明図である。
【図４】関連画面展開装置による表示画面を示す別の説明図である。
【図５】実施の形態２である関連画面展開装置の構成を示す構成図である。
【図６】関連画面展開装置の動作を示すフローチャートである。
【図７】実施の形態３である関連画面展開装置の構成を示す構成図である。
【図８】関連画面展開装置の動作を示すフローチャートである。
【図９】実施の形態４である関連画面展開装置の構成を示す構成図である。
【図１０】関連画面展開装置の動作を示すフローチャートである。
【図１１】実施の形態５である関連画面展開装置の構成を示す構成図である。
【図１２】関連画面展開装置の動作を示すフローチャートである。
【図１３】実施の形態６である関連画面展開装置の構成を示す構成図である。
【図１４】関連画面展開装置の動作を示すフローチャートである。
【符号の説明】
【００２７】
１０，２０，３０，４０，５０，６０  関連画面展開装置、１１  計測値収集装置、
１２  関連画面定義装値、１３  画面絞り込み装置、１４  監視装置、
１５  全画面定義ファイル、１６  関連画面定義ファイル、
１７  画面展開履歴ファイル、２３  画面候補絞り込み装置、
２３ａ  関連画面自動登録部、３２  関連画面定義装値、３２ａ  展開条件登録部、
３４  監視装置、３４ａ  展開条件判断部、３６  関連画面定義ファイル、
４１  計測値収集装置、４１ａ  計測値保存部、４２  関連画面定義装値、
４２ａ  展開条件登録部、４４  監視装置、４４ａ  展開条件判断部、
４５  計測値保存ファイル、４６  関連画面定義ファイル、
５３  画面候補絞り込み装置、５３ａ  計測項目解析部、５５  全画面定義ファイル、
６３  画面候補絞り込み装置、６３ａ  計測項目関連解析部。
【図１】
2008217622.tif 000003
【図２】
2008217622.tif 000004
【図３】
2008217622.tif 000005
【図４】
2008217622.tif 000006
【図５】
2008217622.tif 000007
【図６】
2008217622.tif 000008
【図７】
2008217622.tif 000009
【図８】
2008217622.tif 000010
【図９】
2008217622.tif 000011
【図１０】
2008217622.tif 000012
【図１１】
2008217622.tif 000013
【図１２】
2008217622.tif 000014
【図１３】
2008217622.tif 000015
【図１４】
2008217622.tif 000016